(57)【要約】      （修正有）【課題】低コストにかかわらずトレーを使用したときのように廃棄物が増加しない内容物落下防止包装袋を提供する。【解決手段】袋本体１を平面視四角形に形成すると共にこの四角形の袋本体１内の両サイドに山形の狭窄シール部４、４ａを形成する。このようにすることにより、トレーなしで内容物が袋本体１の底の方に落下するのを防ぐ。【選択図】図１
0003189200.tif 000002
【実用新案登録請求の範囲】
【請求項１】
袋本体を平面視四角形に形成すると共にこの四角形の袋本体内の両サイドに山形の狭窄シール部を形成してなること、を特徴とする内容物落下防止包装袋。
【請求項２】
前記狭窄シール部は、袋本体内において一段又は複数段に形成されていること、を特徴とする請求項１に記載の内容物落下防止包装袋。
【請求項３】
前記狭窄シール部は、袋本体の表面と裏面をヒートシールすることにより形成されていること、を特徴とする請求項１又は２のいずれか１項に記載の内容物落下防止包装袋。
【請求項４】
前記狭窄シール部は、面又は線又はポイントシールにより形成されていること、を特徴とする請求項３に記載の内容物落下防止包装袋。
【請求項５】
前記袋本体は、三方シール又はピロー方式で形成されていること、を特徴とする請求項１乃至４のいずれか１項に記載の内容物落下防止包装袋。
【請求項６】
前記狭窄シール部は、半円弧状又は凹凸状に形成されていること、を特徴とする請求項１乃至５のいずれか１項に記載の内容物落下防止包装袋。
【請求項７】
前記袋本体の開封口部内には、再封用にジッパーが取り付けられていること、を特徴とする請求項１乃至６のいずれか１項に記載の内容物落下防止包装袋。
【考案の詳細な説明】
【技術分野】
【０００１】
本考案は、展示棚等に立てて陳列した時に内容物が袋の底の方に移動（落下）して見栄えが悪くなるのを防止するように工夫した内容物落下防止包装袋に関する。
【背景技術】
【０００２】
包装体に米菓や焼き菓子などを包装する際、図１０に示すように成型プラスチックトレー８が使用されることが多い。これは店頭で販売される時、袋を立てて陳列するため、図９（Ａ）に示すように内容物ａが袋下部に溜まり見栄えが悪くなることを防ぐためである。また、立て陳列時に内容物ａが下に溜まると、図９（Ｂ）に示すように袋１に奥行きが出来てしまい、陳列数が少なくなり、補充の手間が掛かることも防ぐ目的がある。 
【０００３】
しかし、袋１の内寸法と同程度の成型プラスチックトレー８を使用するため、図１１、図１２に示すように、袋１を立てた際に確に内容物ａは袋１内において整然と保たれているが、包装工程が増し、更にコストや廃棄物の増加に繋がる、という問題点がある。 
【考案の概要】
【考案が解決しようとする課題】
【０００４】
本考案の目的は、包装工程が増加したり、コストが増大したり、廃棄物としての量が増大しない内容物落下防止包装袋を提供することである。
【課題を解決するための手段】
【０００５】
上記目的を達成するため、請求項１に記載した考案は、内容物落下防止包装袋において、袋本体を平面視四角形に形成すると共にこの四角形の袋本体内の両サイドに山形の狭窄シール部を形成してなること、を特徴とするものである。
【０００６】
また、請求項２に記載した考案は、請求項１に記載の内容物落下防止包装袋において、前記狭窄シール部は、袋本体内において一段又は複数段に形成されていること、を特徴とするものである。
【０００７】
また、請求項３に記載した考案は、請求項１又は２のいずれか１項に記載の内容物落下防止包装袋において、前記狭窄シール部は、袋本体の表面と裏面をヒートシールすることにより形成されていること、を特徴とするものである。
【０００８】
また、請求項４に記載した考案は、請求項３に記載の内容物落下防止包装袋において、前記狭窄シール部は、面又は線又はポイントシールにより形成されていること、を特徴とするものである。
【０００９】
また、請求項５に記載した考案は、請求項１乃至４のいずれか１項に記載の内容物落下防止包装袋において、前記袋本体は、三方シール又はピロー方式で形成されていること、を特徴とするものである。
【００１０】
また、請求項６に記載した考案は、請求項１乃至５のいずれか１項に記載の内容物落下防止包装袋において、前記狭窄シール部は、半円弧状又は凹凸状に形成されていること
、を特徴とするものである。
【００１１】
また、請求項７に記載した考案は、請求項１乃至６のいずれか１項に記載の内容物落下防止包装袋において、前記袋本体の開封口部内には、再封用にジッパーが取り付けられていること、を特徴とするものである。
【図面の簡単な説明】
【００１２】
【図１】本考案を実施した三方シール袋の説明図。
【図２】Ａ−Ａ’線断面図。
【図３】Ｂ−Ｂ’線断面図。
【図４】本考案を実施した三方シール袋内に内容物を充填し、袋を立てて展示した状態の説明図。
【図５】本考案を実施したジッパー付三方シール袋内に内容物を充填し、袋を立てて展示した状態の説明図。
【図６】本考案を実施したピロー包装袋内に内容物を充填し、立てた状態の説明図。
【図７】本考案を実施したジッパー付ピロー包装袋内に内容物を充填し、立てた状態の説明図。
【図８】落下防止用の狭窄シール部の実施形状例の説明図。
【図９】トレー無し三方シール袋内に内容物を充填し、袋を立てた状態の説明図。
【図１０】三方シール袋内にトレーを挿入して落下防止を図る従来例の説明図。
【図１１】トレーを挿入して内容物を充填し、立てた状態の説明図。
【図１２】Ｃ−Ｃ’線断面図。
【考案を実施するための形態】
【実施例１】
【００１３】
本考案は、所謂三方シール袋、ピロー包装袋、ジッパー付三方シール袋、ジッパー付ピロー包装袋等であって、比較的小型の菓子類を充填し、店頭において立てて展示販売する商品用に適している。
【００１４】
また、従来のトレーを使用する包装形態の場合、このトレー分の資材費とか包装工程の増加及び使用後の廃棄物としてのトレー分の容量の増加を解消して省資源対策に適している。
【００１５】
以下、添付図面に基づいて本考案の実施例を詳述する。
対象となる包装用袋の形態は、基本的には制限を受けるものではなく、前述のとおり三方シール、ピローあるいはジッパー付の包装袋に実施化を意図しており、図１には三方シール袋に本考案を実施した一例を示した。
【００１６】
この図１において、符号の１は三方シール袋であって、２、２ａはサイドシール、３はボトムシールを示し、未だ内容物が充填される前の状態である。
【００１７】
４、４ａは、前記三方シール袋１を製袋する工程において、サイドシール２、２ａを行う時に表フィルム１ａと裏フィルム１ｂの内面同士を同時にベタヒートシールすることに形成された落下防止部であって、この狭窄シール部４、４ａは三方シール袋１の内幅Ｗを狭める形態となっていて、この狭窄シール部４、４ａ間の幅Ｗ１の設定は内容物の大きさにより任意に設定される。
【００１８】
例えば、内容物が小さい場合にはＷ１は小さくなるように形成し、大きい場合にはＷ１は大きく形成する。
但し、このＷ１の条件は限定的ではない。
【００１９】
上記した三方シール袋１内に内容物投入口５から内容物ａを投入し、トップシール６を施し、立てて展示した状態が図４であって、袋１内の内容物ａは、袋１内において狭窄シール部４、４ａの作用で内幅Ｗ１が狭くなっており、この作用で内容物ａは自由に落下せず、両側からの塞き止めの作用で自由に落下せず、この作用で内容物ａの一部は袋１内において上部に留まることになる。
【００２０】
この結果、図４で明らかなように袋１内に分散し、図９（Ａ）（Ｂ）に示したように底側に固まることがなく、見栄えの良い展示形態となる。
【００２１】
図５はジッパー７を投入口６側に挿入した袋の例、図６はピロー袋の例、図７はピロー袋内にジッパー７を投入した例である。
【００２２】
図８は狭窄シール部４、４ａの形状の例を示し、Ａ〜Ｄはベタシールで形成した例、Ａ’〜Ｄ’は線シールで形成した例、Ａ’’〜Ｄ’’は点シールで形成した例であるが、このような形成例は図８に特に限定されるものではない。
【符号の説明】
【００２３】
１  包装用袋
２  サイドシール
３  ボトムシール
４、４ａ  狭窄シール部
５  投入口
６  トップシール
７  ジッパー
８  トレー
【図１】
0003189200.tif 000003
【図２】
0003189200.tif 000004
【図３】
0003189200.tif 000005
【図４】
0003189200.tif 000006
【図５】
0003189200.tif 000007
【図６】
0003189200.tif 000008
【図７】
0003189200.tif 000009
【図８】
0003189200.tif 000010
【図９】
0003189200.tif 000011
【図１０】
0003189200.tif 000012
【図１１】
0003189200.tif 000013
【図１２】
0003189200.tif 000014